(57)【要約】【課題】本発明は、気体吹出装置とそれを用いたサウナ装置に関するもので、最適な温風の吹き出し方向を制御することを目的とするものである。【解決手段】そしてこの目的を達成するために本発明は、吸気口９と排気口１０を有する本体ケース１１と、この本体ケース１１内において前記吸気口９と排気口１０を結んだ送風路１２と、この送風路１２内に設けた送風手段と、前記吸気口９と前記排気口１０に対応する吸気口用開口部１４と排気口用開口部１５を有するとともに前記本体ケース１１の底面を覆ったパネル１６と、前記排気口用開口部１５に設けた吹出手段１８とを備え、前記吹出手段１８は、回動自在とした枠体１７内に、所定間隔で左右方向に複数枚仕切板１９を配置した構成とした。【選択図】図３
2010017434.tif 000002
【特許請求の範囲】
【請求項１】
吸気口と排気口を有する本体ケースと、この本体ケース内において前記吸気口と排気口を結んだ送風路と、この送風路内に設けた送風手段と、前記吸気口と前記排気口に対応する吸気口用開口部と排気口用開口部を有するとともに前記本体ケースの底面を覆ったパネルと、前記排気口用開口部に設けた吹出手段とを備え、前記吹出手段は、回動自在とした枠体内に、所定間隔で左右方向に複数枚仕切板を配置した構成とした気体吹出装置。
【請求項２】
仕切板は、左右方向にいくにしたがい傾斜に配置した請求項１記載の気体吹出装置。
【請求項３】
仕切板は、左右方向にいくにしたがい所定間隔を狭くした請求項１から２のいずれかに記載の気体吹出装置。
【請求項４】
枠体の気体が流れる方向の本体ケースの内側周囲に、気流誘導板を設けた請求項１から３のいずれかに記載の気体吹出装置。
【請求項５】
気流誘導板と排気口用開口部の形状が、ほぼ一致する請求項４に記載の気体吹出装置。
【請求項６】
枠体の一端に、モーターを接続した請求項１から５のいずれかに記載の気体吹出装置。
【請求項７】
気流誘導板の一端に、モーターを接続した請求項４から６のいずれかに記載の気体吹出装置。
【請求項８】
吸気口用開口部を、複数の開口部で形成した請求項１から７のいずれかに記載の気体吹出装置。
【請求項９】
吸気口と送風手段との間に、加熱手段を設けた請求項１から８のいずれかに記載の気体吹出装置。
【請求項１０】
送風手段と排気口との間に、液体噴霧手段を設けた請求項１から９のいずれかに記載の気体吹出装置。
【請求項１１】
液体噴霧手段と排気口との間に、気水分離手段を設けた請求項１から１０のいずれかに記載の気体吹出装置。
【請求項１２】
請求項１から１１のいずれか一つに記載の気体吹出装置が設けられている排気口用開口部を、サウナ室に開口させたサウナ装置。
【発明の詳細な説明】
【技術分野】
【０００１】
本発明は、気体吹出装置とそれを用いたサウナ装置に関するものである。
【背景技術】
【０００２】
例えば、サウナ装置に用いられる気体吹出装置の構成は、次のような構成となっていた。
【０００３】
すなわち、吸気口と排気口を有する本体ケースと、この本体ケース内において前記吸気口と排気口を結んだ送風路と、この送風路内に設けた送風手段と、前記吸気口と前記排気口に対応する吸気口用開口部と排気口用開口部を設けた前記本体ケースの底面を覆うパネルと、前記排気口用開口部に吹出手段とを備え、前記吹出手段は、可動ルーバーによって温風の吹き出し方向を上下方向に変更自在にさせる構成となっていた（例えば、下記特許文献１参照）。
【特許文献１】特開２００２−３３６３２７号公報
【発明の開示】
【発明が解決しようとする課題】
【０００４】
上記従来例において問題となるのは、効率の良い温風の吹き出し方向が、衣類乾燥時と浴室の暖房時あるいはサウナ時とは違うというということであった。
【０００５】
すなわち、従来の気体吹出装置は、上述のごとく、可動ルーバーによって温風の吹き出し方向を上下方向に変更自在とさせているが、このように、可動ルーバーによって空気の吹き出し方向を変更自在とさせているものでは、左右の吹き出し方向が制御できず、例えば、暖房時あるいはサウナ時は洗い場に集中的に吹き出させたいし、衣類乾燥の時には、広範囲に吹き出させたい、というように、結論として、このような要望に対して温風の吹き出し方向を変更できないものであった。
【０００６】
そこで、本発明は、最適な温風の吹き出し方向に制御することを目的とするものである。
【課題を解決するための手段】
【０００７】
そして、この目的を達成するために本発明は、吸気口と排気口を有する本体ケースと、この本体ケース内において前記吸気口と排気口を結んだ送風路と、この送風路内に設けた送風手段と、前記吸気口と前記排気口に対応する吸気口用開口部と排気口用開口部を有するとともに前記本体ケースの底面を覆ったパネルと、前記排気口用開口部に設けた吹出手段とを備え、前記吹出手段は、回動自在とした枠体内に、所定間隔で左右方向に複数枚仕切板を配置した構成とし、これにより初期の目的を達成するものである。
【発明の効果】
【０００８】
以上のごとく本発明は、吸気口と排気口を有する本体ケースと、この本体ケース内において前記吸気口と排気口を結んだ送風路と、この送風路内に設けた送風手段と、前記吸気口と前記排気口に対応する吸気口用開口部と排気口用開口部を有するとともに前記本体ケースの底面を覆ったパネルと、前記排気口用開口部に設けた吹出手段とを備え、前記吹出手段は、回動自在とした枠体内に、所定間隔で左右方向に複数枚仕切板を配置した構成としたものであるので、最適な温風の吹き出し方向を制御することができる。
【０００９】
すなわち本発明の吹出手段は、回動自在とした枠体内に、所定間隔で左右方向に複数枚仕切板を配置した構成としたものであるので、温風は、利用目的に応じて回動させて所定間隔の複数枚配置した仕切板の間を通過し、左右の吹き出し方向を制御することになるので、その結果として、最適な温風の吹き出し方向を制御することができるのである。
【発明を実施するための最良の形態】
【００１０】
以下、本発明の一実施形態を、添付図面を用いて説明する。
【００１１】
図１において、１はサウナ室を示し、このサウナ室１の前面壁２には、ドア３が開閉自在に設けられ、また、内部には浴槽４が設けられている。
【００１２】
また、このサウナ室１の天井面５の開口部６には、液体気化装置７が取り付けられている。
【００１３】
液体気化装置７は、温水パイプ８が接続され、また図２に示すごとく、吸気口９と排気口１０を有する本体ケース１１と、この本体ケース１１内において吸気口９と排気口１０を結んだ送風路１２と、この送風路１２内に設けた送風手段と、吸気口９と排気口１０に対応する複数の開口部２３で形成した吸気口用開口部１４と排気口用開口部１５を設けた本体ケース１１の底面を覆うパネル１６と、排気口用開口部１５の枠体１７による吹出手段１８を備えている。
【００１４】
また、吸気口９と送風手段としてのファン１３との間には加熱手段としての熱交換器２４を設け、ファン１３と排気口１０との間には液体噴霧手段としてノズル２５を設け、ノズル２５と排気口１０との間には気水分離手段としてエリミネーター２６を設けた構成とした。
【００１５】
吹出手段１８は、図３に示すごとく、枠体１７内に有する複数の仕切板１９を、利用目的に応じて最適な配置となるような所定間隔で左右方向に複数枚配置した構成とした。
【００１６】
具体的には、図４および図５に示すごとく、仕切板１９は左右方向にいくにしたがい傾斜し、かつ、所定間隔を狭くし、また、枠体１７の一端にモーター２１を、気流誘導板２０の一端にモーター２２をそれぞれ接続するような構成とした。
【００１７】
また、図６に示すごとく、枠体１７の気体が流れる方向の本体ケース１１の内側周囲に、気流誘導板２０を設け、気流誘導板２０と排気口用開口部１５の形状が、ほぼ一致するような構成とした。
【００１８】
上記構成において、２つのモード、すなわち、サウナ室１の暖房やサウナと衣類（図示なし）乾燥について説明する。
【００１９】
暖房やサウナを使用する場合、一例としてサウナの場合を説明すると、図１のサウナ室１等に設けられたリモコン（図示なし）でスタートさせると、温水パイプ８から温水が流れ図２のノズル２５から微細水滴２７が送風路１２に噴霧される。
【００２０】
そして、ファン１３が作動し、サウナ室１内の空気は、送風路１２内において、パネル１６の吸気口用開口部１４に吸い込まれ、熱交換器２４に接触しながら温められ、ファン１３を通過して、微細水滴２７を含みながらエリミネーターで、大粒水滴と小粒水滴に分離され、小粒水滴のみ通過して排気口１０に至り、枠体１７を通過して、サウナ室１内に吹き出される。
【００２１】
ここで、枠体１７に配置されている仕切板１９は、図４に示すごとく、左右方向にいくにしたがい内側に傾斜した構成としており、図７に示すごとく、ある一定の方向に集中的に小粒水滴を含んだ温風を吹き出すようになっている。
【００２２】
これにより、入浴者に集中的に小粒水滴を含んだ温風が当たり、無駄なく入浴者はサウナが楽しめることになる。
【００２３】
また、入浴者が図１に示すサウナ室１に入るとき、入浴者が踏むであろう場所に温風が集中的に当たって温められるので、一歩目からヒヤッとするような感じがなくなる。
【００２４】
これは、暖房時も同様である。
【００２５】
また、衣類乾燥をさせる場合は、ノズル２５から微細水滴２７が送風路１２に噴霧される工程をなくし、熱交換器２４で温められて空気のみ枠体１７から吹き出すようになっている。
【００２６】
なお、図示はしていないが、換気手段をサウナ室内に設けることは言うまでもない。
【００２７】
そして、枠体１７に配置されている仕切板１９は、図５に示すごとく、左右方向にいくにしたがい外側に傾斜した構成とし、図８に示すごとく、サウナ室１全体に温風がいきわたるようになっている。
【００２８】
図４の仕切板１９の構成から図５の仕切板１９の構成に切り替えるには、枠体１７の一端に接続されているモーター２１を作動させ枠体１７を１８０度回転させるようにしている。
【００２９】
これにより、サウナ室１に広く、多く干している衣類に満遍なく温風がいきわたり、衣類を効率よく乾燥させることができることになる。
【００３０】
一方、乾燥させる衣類が少なく中央に集まっている場合は、図４、図７の吹出状態とし、効率よく乾燥させることもできる。
【００３１】
また、上下方向に制御する場合は、枠体１７の動作と連動して気流誘導板２０の一端に接続されているモーター２２を作動させ、気流誘導板２０を作動させれば、温風の風向を上下方向に制御することができる。これは、暖房あるいはサウナの場合でも同様である。
【００３２】
そして、最後終了させる場合は、図６に示すごとく、気流誘導板２０が排気口用開口部１５に収まるが、形状がお互いほぼ一致するので、外観上見栄えがよくなる。
【００３３】
ここで、２つのモードに言えることだが、図２に示すごとく、吸気口用開口部１４を、複数の開口部２３で形成したので、送風路１２内にごみが入るのを防ぐことができ、熱交換器２４あるいはファン１３にごみが付着することによる効率低下および騒音増大を防ぐことができる。
【００３４】
なお、複数の開口部２３にフィルターを備えれば、より良いことは言うまでもない。
【００３５】
また、サウナ時に特に有効になるのが、図２に示すごとく、吸気口９と送風手段としてのファン１３との間に、加熱手段としての熱交換器２４を設け、ファン１３と排気口１０との間に、液体噴霧手段としてのノズル２５を設け、ノズル２５と排気口１０との間に、気水分離手段としてのエリミネーター２６を設けた構成としているので、図１に示すサウナ室１からの空気にノズル２５から噴霧される微細水滴２７を多く含ませることができ、かつ、それをエリミネーター２６で大粒水滴と小粒水滴に分離するので、効率よく小粒水滴を含んだ温風を生成することができるとともに、コンパクトに構成することができる。
【００３６】
また、別仕様として、暖房時あるいはサウナ時に、最初はヒヤッとしないため集中的に図１に示すサウナ室１の入浴者が踏むであろう場所に温風を集中的に当てるよう仕切板１９を、図４に示すごとく左右方向にいくにしたがい内側に傾斜した構成とし、入浴者が浴室に入ったら、サウナ室１全体が温まるように仕切板１９を、図５に示すごとく左右方向にいくにしたがい外側に傾斜した構成することもできる。
【産業上の利用可能性】
【００３７】
以上のごとく本発明は、吸気口と排気口を有する本体ケースと、この本体ケース内において前記吸気口と排気口を結んだ送風路と、この送風路内に設けた送風手段と、前記吸気口と前記排気口に対応する吸気口用開口部と排気口用開口部を有するとともに前記本体ケースの底面を覆ったパネルと、前記排気口用開口部に設けた吹出手段とを備え、前記吹出手段は、回動自在とした枠体内に、所定間隔で左右方向に複数枚仕切板を配置した構成としたものであるので、最適な温風の吹き出し方向を制御することができる。
【００３８】
すなわち本発明の吹出手段は、回動自在とした枠体内に、所定間隔で左右方向に複数枚仕切板を配置した構成としたものであるので、温風は、環境に応じて回動させて所定間隔の複数枚配置した仕切板の間を通過し、左右の吹き出し方向を制御することになるので、その結果として、最適な温風の吹き出し方向を制御することができるのである。
【００３９】
したがって、サウナ装置への活用が期待されるものとなる。
【図面の簡単な説明】
【００４０】
【図１】本発明の一実施形態における気体吹出装置を用いたサウナ装置の斜視図
【図２】同サウナ装置装置の断面図
【図３】同吹出手段の斜視図
【図４】同暖房やサウナ時における吹出手段の拡大正面図
【図５】同衣類乾燥時における吹出手段の衣類乾燥用の拡大正面図
【図６】同吹出手段の断面図
【図７】同暖房やサウナ時におけるサウナ室内の空気の流れを示す図
【図８】同衣類乾燥時におけるサウナ室内の空気の流れを示す図
【符号の説明】
【００４１】
１    サウナ室
２    前面壁
３    ドア
４    浴槽
５    天井面
６    開口部
７    液体気化装置
８    温水パイプ
９    吸気口
１０  排気口
１１  本体ケース
１２  送風路
１３  ファン
１４  吸気口用開口部
１５  排気口用開口部
１６  パネル
１７  枠体
１８  吹出手段
１９  仕切板
２０  気流誘導板
２１  モーター
２２  モーター
２３  開口部
２４  熱交換器
２５  ノズル
２６  エリミネーター
２７  微細水滴
【図１】
2010017434.tif 000003
【図２】
2010017434.tif 000004
【図３】
2010017434.tif 000005
【図４】
2010017434.tif 000006
【図５】
2010017434.tif 000007
【図６】
2010017434.tif 000008
【図７】
2010017434.tif 000009
【図８】
2010017434.tif 000010